(57)【要約】【課題】災害時等に簡単に点灯できると共に救助を求めることができる電灯装置を提供する。【解決手段】本発明にかかる電灯装置１は、板状部材１１，１３、１５、１７を積層してなり液体を受ける発電する空気電池体３と、液体を封入した液袋１０と、空気電池体３及び液袋１０を収納したケース５と、電流を受けて発光する発光体７を装着した発光体装着部９と、ブザー２とを備え、発光体装着部９は空気電池体３の積層方向における一方側電極面１１と他方側電極面１７とに接触する一対の端子４３、４３を有し、液袋１０に外力を加えて液袋１０を破ることで空気電池体３に液体を供給する。これにより、発光体装着部９が点灯し、ブザー２が作動して救助音を発する。【選択図】図１
2017120702.tif 000002
【特許請求の範囲】
【請求項１】
板状部材を積層してなり液体の供給により発電する空気電池体と、空気電池体を収納するケースと、電流を受けて発光する発光体を装着した発光体装着部と、ケースに取り付けたブザーとを備え、
発光体装着部は空気電池体の積層方向における一方側電極面と他方側電極面とに接触する一対の端子を有し、
ケースには、液体に浸漬すると空気電池体に液体を導入する液体導入部が設けてあり、
ブザーは、発光体装着部の一対の端子又は、空気電池体の一方側電極面及び他方側電極面に接続してあり、
空気電池体に液体が供給されると発光体装着部が発光すると共にブザーが鳴ることを特徴とする電灯装置。
【請求項２】
発光体装着部と空気電池体との間に液体を封入した液袋を備え、液袋に外力を加えて液袋を破ることで空気電池体に液体を供給することを特徴とする請求項１に記載の電灯装置。
【請求項３】
空気電池体は一方側電極面及び他方側電極面の一部に絶縁部を有し、
発光体装着部は端子と共にケースに対してスライド自在に設けてあり、
ブザーは発光体装着部の端子に接続してあり、
発光体装着部が空気電池体から離れた絶縁位置にあるときに各端子が絶縁部に接触し、発光体装着部を絶縁位置から空気電池体側にスライドしたときに各端子が電極面に接触すると共に液袋を押圧して破ることを特徴とする請求項２に記載の電灯装置。
【請求項４】
ブザーの音は、１５ＫＨｚ〜２２ＫＨｚの周波数であることを特徴とする請求項１〜３のいずれか一項に記載の電灯装置。
【発明の詳細な説明】
【技術分野】
【０００１】
本発明は、屋内の停電時や夜間の野外等で使用する電灯装置に関する。
【背景技術】
【０００２】
特許文献１にはマグネシウム金属空気電池（空気電池体）を筒状のケース内に収納し、筒状ケースの一端にＬＥＤ（発光ダイオード）を装着した電灯装置が開示されている。この電灯装置では、例えば、停電時等にケースの他端を水やアルカリ水溶液等の液体に浸漬することで、ＬＥＤを点灯する電灯装置が開示されている。
【先行技術文献】
【特許文献】
【０００３】
【特許文献１】実用新案登録第３１８３３６９号公報
【発明の概要】
【発明が解決しようとする課題】
【０００４】
一方、地震や津波等の災害時に潰れた家屋や瓦礫に閉じ込められた場合に、簡単に点灯できると共に救助を求めることができる装置が望まれていた。
【０００５】
そこで、本発明は、災害時等に簡単に点灯できると共に救助を求めることができる電灯装置の提供を目的とする。
【課題を解決するための手段】
【０００６】
請求項１に記載の発明は、板状部材を積層してなり液体の供給により発電する空気電池体と、空気電池体を収納するケースと、電流を受けて発光する発光体を装着した発光体装着部と、ケースに取り付けたブザーとを備え、発光体装着部は空気電池体の積層方向における一方側電極面と他方側電極面とに接触する一対の端子を有し、ケースには、液体に浸漬すると空気電池体に液体を導入する液体導入部が設けてあり、ブザーは、発光体装着部の一対の端子又は、空気電池体の一方側電極面及び他方側電極面に接続してあり、空気電池体に液体が供給されると発光体装着部が発光すると共にブザーが鳴ることを特徴とする電灯装置である。  
【０００７】
請求項２に記載の発明は、請求項１に記載の発明において、発光体装着部と空気電池体との間に液体を封入した液袋を備え、液袋に外力を加えて液袋を破ることで空気電池体に液体を供給することを特徴とする。  
【０００８】
請求項３に記載の発明は、請求項２に記載の発明において、空気電池体は一方側電極面及び他方側電極面の一部に絶縁部を有し、発光体装着部は端子と共にケースに対してスライド自在に設けてあり、ブザーは発光体装着部の端子に接続してあり、発光体装着部が空気電池体から離れた絶縁位置にあるときに各端子が絶縁部に接触し、発光体装着部を絶縁位置から空気電池体側にスライドしたときに各端子が電極面に接触すると共に液袋を押圧して破ることを特徴とする。  
【０００９】
請求項４に記載の発明は、請求項１〜３のいずれか一項に記載の発明において、ブザーの音は、１５ＫＨｚ〜２２ＫＨｚの周波数であることを特徴とする。  
【発明の効果】
【００１０】
請求項１に記載の発明によれば、ケースの液体導入部を水やジュース等の液体に浸漬することで、空気電池体に液体が導入されて発電し、発光体装着部が点灯する。同時に、ブザーが鳴り、警報を発する。  
したがって、災害時等に家屋等が崩壊して暗闇に閉じ込められた場合にも、周囲を照らすことができると共にブザーの音で生存確認と所在を知らせて、助けを求めることができる。  
また、本発明の電灯装置はコンパクトな構成であり、被服のポケット等に入れて常時携帯できるから、不測の災害に備えることができる。  
【００１１】
請求項２に記載の発明によれば、請求項１に記載の効果を奏すると共に、ケース内に設けた液袋に外力を加えて破ることで、空気電池体に液体を供給できるから、液体が周囲に無い状況下や暗くて液体を探し難い場合でも、発光体装着部の点灯とブザーを鳴らすことができる。  
【００１２】
請求項３に記載の発明によれば、請求項２に記載の効果を奏すると共に、発光体装着部を絶縁位置からスライド操作することで液袋を破るので、操作性が良い。また、発光体装着部が絶縁位置にあるときには、端子に電流が流れないから、非使用時の誤点灯及びブザーの誤作動を防止できる。  
【００１３】
請求項４に記載の発明によれば、請求項１〜３のいずれか一項に記載の効果を奏すると共に、ブザーの音がいわゆる犬笛やモスキート音の周波数帯の音とすることにより、遠く離れた場所にいる犬にも感知でき、災害救助犬等に発見されやすい。  
【図面の簡単な説明】
【００１４】
【図１】第１実施の形態にかかる電灯装置の分解斜視図である。
【図２】第１本実施の形態にかかる電灯装置を図５に示すＡ−Ａ位置で切断した断面図であり、（ａ）は発光体装着部が絶縁位置にあるときの状態を示し、（ｂ）は発光体装着部を絶縁位置からスライドさせて液袋を破った状態を示す図である。
【図３】第１本実施の形態にかかる電灯装置を図５に示すＢ−Ｂ位置で切断した断面図であり、（ａ）は発光体装着部が絶縁位置にあるときの状態を示し、（ｂ）は発光体装着部を絶縁位置からスライドさせて液袋を破った状態を示す図である。
【図４】空気電池体の縦断面図である。
【図５】第１実施の形態にかかる電灯装置の外観を示す斜視図である。
【図６】第２実施の形態にかかる電灯装置の縦断面図である。
【図７】第２本実施の形態にかかる電灯装置の正面図であり、（ａ）は発光体装着部が点灯位置にあるときの状態を示し、（ｂ）は発光体装着部を点灯位置から絶縁位置へスライドさせた状態を示す図である。
【図８】第２本実施の形態にかかる電灯装置の分解斜視図である。
【図９】第３実施の形態にかかる電灯装置の分解斜視図である。
【図１０】第４実施の形態にかかる電灯装置の正面図である。
【図１１】第４実施の形態にかかる電灯装置を示す図であり、（ａ）は斜視図、（ｂ）は底面図である。
【発明を実施するための形態】
【００１５】
以下に、添付図面を参照して本発明の実施の形態を説明するが、まず、図１〜図５を参照して本発明の第１実施の形態を説明する。  
図１及び図５に示すように、第１実施の形態にかかる電灯装置１は、いわゆる携帯用の電灯装置であり、停電等の非常時や夜間に野外等で使用可能な掌サイズの小型のものであり、空気電池体３と、空気電池体（図１参照）３を収納するケース５と、発光体７を装着した発光体装着部９と、液体を収納した液袋１０（図１参照）と、ストッパ部材１２と、ケース５に取り付けたブザー２とを備えている。  
図１及び図４に示すように、空気電池体３は、板状部材を積層して構成されており、正極活性物質として空気中の酸素を用い、負極活性物質として金属を用いたいわゆる金属空気電池である。本実施の形態では、空気電池体３は、正極板（板状部材）１１と、触媒板（板状部材）１３と、分離板（板状部材）１５と、負極板（板状部材）１７とをこの順序で積層して一組の電池ユニット１９としてあり、この電池ユニット１９を４組重ねてある。  
【００１６】
正極板１１は、例えば銅板であるが、導電材であれば他の金属やカーボン材であっても良い。  
触媒板１３は、正極活性物質として空気中の酸素を吸着する活性炭を含有する不織布からなるシートであるが、金属塩化物等を含むものであっても良い。  
分離板１５は、負極板１７と触媒板１３との間に配置されて、負極板１７と触媒板１３とをイオンの通過を許容しつつ分離する部材であり、紙、ポリエステル等の樹脂繊維、ガラス繊維等が用いられる。  
負極板１７としては、例えば、マグネシウムやマグネシウム合金が用いられる。この負極板では、水又は水を含む液体と反応して、マグネシウムイオンを生成するが、水又は水を含む液体と反応して、金属イオンを生成するものであれば、リチウム等の他の金属であっても良い。  
【００１７】
空気電池体３は、図１に示すように、各電池ユニット１９を組み重ねた後、上端の長手方向中央部を上絶縁テープ（絶縁部）２１で接着して保持し、下端においても長手方向に間隔をあけて接着した２本の下絶縁テープ２３で保持してある。各絶縁テープ２１及び２３は各々、布材に粘着剤を貼着したものである。  
空気電池体３の上絶縁テープ２１は、空気電池体３の上端の一部のみを覆うように設けることで、空気電池体３の上端が水や水溶液（液体）を受けることができるようにしてあると共に正極板１１と負極板１７の互いに露出している表面の中央部上端側を帯状にして覆っている。  
空気電池体３の下絶縁テープ２３は、左右に間隔をあけて設けることで、空気電池体３が下端から液体に浸漬できるようにしてある。下絶縁テープ２３も断面コ字形状を成し、空気電池体３を構成する各板状部材１１、１３、１５、１７を一体にして止めてある。  
尚、空気電池体３は、本実施の形態では、２．４Ｖ〜３Ｖ（ボルト）で発電し、状況によっても異なるが１〜２日間発電を継続することができる。  
【００１８】
ケース５は、正面壁２５、裏面壁２７、左右の側壁２９、２９及び底壁３１で、上端が開口した略直方体形状を成し、内部に空気電池体３及び液袋１０を収納する収納空間３２を形成してある。このケース５は難燃性樹脂材で一体成型してある。  
正面壁２５及び裏面壁２７は、各々収納空間３２に向けて互い突設する上下方向の突条３３が形成してあり、各壁２５、２７において隣り合う突条３３は互いに間隔をあけている。突条３３の上端３３ａは、ケース５の開口端５ａとの間に間隔をあけており、収納空間３２に収納した空気電池体３の上端と略面一としてある。ケース５の開口端５ａには、ブザー２の配線２ａ、２ｂ（後述する）を通す凹部５ｂが形成してある。  
底壁３１には、ケース５の底部を液体に浸漬したときにケース５内に液体を導入する液体導入孔（液体導入部）３１ａが形成してある。  
【００１９】
発光体装着部９は、透明樹脂材製で平面視略四角形状のドーム型を成す本体部３７と、発光体７と、本体部３７の略四角形を成す下端部の各辺部から下方に突設した案内部３９と、発光体７の一対の端子４３と、端子支持部４５とを備えている。  
本体部３７は内部が空間であり、左右方向中央において、本体部３７の空間に発光体７が透明樹脂材で封止してある。発光体７はＬＥＤ（発光ダイオード）である。本体部３７の対向する左右側部には、各々連通孔４７が形成してあり、本体部３７を外気に連通してある。本体部３７の外周部３７ａは、図２（ａ）に示すように、ケース５の開口端５ａに載置可能なように内周側に凹んだ凹状を成している。  
【００２０】
案内部３９はケース５の収納空間３２に挿入可能であり、ケース５に対する発光体装着部９のスライドを案内するものである。図２（ｂ）に示すように、発光体装着部９をケース５内に押し込んだときには、案内部３９はケース内に位置し、図２（ａ）に示すように、発光体装着部９をスライドしてケース５から引き上げた状態では、ケース５から露出される。案内部３９はケース５の開口部形状に対応して全体として四角形状の輪郭を成している。  
【００２１】
図１に示すように、端子支持部４５は、発光体装着部９の正面側と裏面側とに設けてあり、案内部３９の正面側と裏面側から各々下方に延出してあり、各下端部４５ａは屈曲部４５ｂから互いに離れる側に突設してある。図３に示すように、各下端部４５ａは、ケース内に収納したときにケース５の内壁に下端部４５ａが当接することで、端子支持部４５を互いに対向する方向に弾性変形するようにしてある。  
【００２２】
空気電池体３と発光体装着部９との間には、液袋１０を保持する液袋保持体３５が設けてある。この液袋保持体３５は、底面部３５ａと、上面部３５ｂと、底面部３５ａと上面部３５ｂをと連結する左右の側面部３５ｃとを有し、各側面部３５ｃには、上下方向中間位置に折り目４１が形成してあり、側面部３５ｃは、折り目４１から屈伸可能としてある。これにより、図２に示すように、底面部３５ａと上面部３５ｂとが互い間隔を長くしたり短くすることが可能としてある。  
底面部３５ａには、上方に向けて突設する突起体４９が設けてある。この突起体４９は発光体装着部９をケース５内に向けて押し下げたときに液袋１０を突き刺して、液袋１０を破るものであり、本実施の形態では、突起体４９は左右に１個ずつ設けてある。また、底面部３５には、液袋１０を破いたときに、液体を下方に通過させる孔３６が形成されている。  
【００２３】
図１及び図２に示すように、液袋１０は液袋保持体３５内に配置して、ケース５内の上部に収納してあり、ケース５の突条３３の上端３３ａ及び空気電池体３の上端に載置されている。この液袋１０は、上述した突起体４９が突き刺すと破れて内部の液体が流出するものである。  
液袋１０は、ポリエチレン、ポリ塩化ビニル、ポリスチレン等の樹脂材製であり、内部に水等の液体が収納されている。  
液体は、電解質水溶液、イオン水、水道水等が用いられる。  
【００２４】
図１及び図２（ａ）に示すように、ストッパ部材１２は、発光体装着部９の本体部３７に形成された外周部３７ａと、ケース５の開口端５ａとの間に脱着自在に配置されており、非使用時に発光体装着部９がケース５に向けてスライドするのを防止するものである。このストッパ部材１２は樹脂材製であり、発光体装着部９とケース５との間に配置される本体部１２ａと、取手１２ｂとが一体に形成してあり、取手１２ｂを手で摘まんで引き抜くようにしてある。  
ストッパ部材１２の本体部１２ａは平面視略Ｌ字形状を成し、ケース５の開口端５ａにおいて、隣接する２辺に配置してあり、取手１２ｂはケースの外側に突出している。  
【００２５】
ブザー２はケース５の正面壁２５に粘着剤で貼りつけてある。ブザー２の配線２ａ、２ｂはケース５の開口端５ａに形成した凹部５ｂに通して空気電池体３の正極板１１と負極板１７とに接触させた状態で、上絶縁テープ２１で止めてある。  
このブザー２は、超高周波帯の周波数の音を出す圧電ブザーであり、いわゆる犬笛やモスキート音と言われる１５ＫＨｚ〜２２ＫＨｚの周波数帯域の音を発するようにしてある。  
【００２６】
次に、第１実施の形態にかかる電灯装置１の組み立てについて説明する。  
図１及び図４に示すように、電灯装置１の組み立ては、まず、空気電池体３を作成する。空気電池体３は、正極板１１、触媒板１３、分離板１５及び負極板１７を積層した電池ユニット１９を４組重ねて、これらを重ねた上端部を正極板１１と負極板１７の上側面に跨って上絶縁テープ２１で止め、下端部を下絶縁テープ２３で止める。  
一方、図１に示すように、ケース５の正面壁２５に粘着剤でブザー２を取り付け、ブザー２の配線２ａ、２ｂを上絶縁テープ２１で正極板１１と負極板１７に接続する。  
次に、空気電池体３の下端部を下にして、ケース５の開口から収納空間３２内に挿入する。空気電池体３は正面壁２５と裏面壁２７とに設けた突条３３に圧接されつつ、ケース５内に収納される。  
【００２７】
その後、空気電池体３の上に液袋１０を収納した液袋保持体３５を載置する。そして、正面壁２５と裏面壁２７とにおいて、各隣り合う突条３３間に端子支持部４５を挿入して、ケース５と発光体装着部９の本体部３７との間にストッパ部材１２を介在した状態で、発光体装着部９を更にケース５側へ押し込む。これにより、図２（ａ）、図３（ａ）に示すように、ストッパ部材１２がケース５と発光体装着部９との間に介在された状態となる。図２（ａ）に示すように、ストッパ部材１２がケース５と発光体装着部９との間に介在された状態では、発光体装着部９の端子４３は上絶縁テープ２１に当接した状態となっている。  
【００２８】
次に、本実施の形態にかかる電灯装置１の使用方法について説明する。  
図２（ａ）、図３（ａ）及び図５に示すように、ストッパ部材１２が装着された状態から、ストッパ部材１２の取手１２ｂを手で摘んで引き、ストッパ部材１２をケース５と発光体装着部９との間から外す。  
次に、図２（ｂ）、図３（ｂ）に示すように、発光体装着部９をケース５に向けて押下げる。これにより、液袋保持体３５が押し潰されるように変形し、突起体４９が液袋１０に突き刺し、液袋１０を破り、液袋１０内の液体をケース５内に放出する。  
一方、発光体装着部９の端子４３、４３は各々上絶縁テープ２１から外れて、対応する正極板１１と負極板１７に当接する。  
これにより、空気電池体３に液体が供給されて発電し、各端子４３、４３に電流が流れることで、発光体７が発光し、ブザー２が作動して音を出す。  
本実施の形態では、発光体７の発光及びブザー２の作動時間は、空気電池体３の種類によっても異なるが、通常で数時間〜数十時間に亘って継続することができる。  
また、所定時間経過後に、空気電池体３の発電が低下し又は停止した場合には、ケース５の液体導入孔３１ａを水等の液体に浸漬することで、発光体７の発光及びブザー２の作動を継続し又は再稼働することができる。  
尚、発光体装着部９をケース５から離れるように押し上げると、各端子４３、４３は上絶縁テープ２１に当接するので、空気電池体３が発電し続けても、発光体７は消灯し、ブザー２は作動し続ける。  
また、発光体７の発光を維持して、ブザー２の作動のみを止める場合には、ブザー２を手でケース５から引き剥がすか、配線２ａ、２ｂを引き抜くことにより容易に止めることができる。  
【００２９】
本実施の形態にかかる電灯装置１の作用効果について説明する。  
図２に示すように、第１実施の形態によれば、ケース５内に設けた液袋１０に突起体４９による外力を加えて破ることで、空気電池体３に液体を供給できるから、液体が周囲に無い状況下や暗くて液体を探し難い場合でも、発光体装着部の点灯とブザーを鳴らすことができる。  
発光体装着部が点灯すると同時に、ブザーが鳴り、警報を発することができるから、災害時等に家屋等が崩壊して暗闇に閉じ込められた場合にも、周囲を照らすことができると共にブザーの音で生存確認と所在を知らせて、助けを求めることができる。  
また、本発明の電灯装置はコンパクトな構成であり、被服のポケット等に入れて常時携帯できるから、不測の災害に備えることができる。  
発光体装着部９を絶縁位置（図２（ａ）参照）からケース５側へスライド操作することで液袋１０を破るので、操作性が良い。また、発光体装着部９が絶縁位置にあるときには、端子４３に電流が流れないから、仮に湿気等により空気電池体３が発電した場合でも非使用時の点灯を防止できる。  
液袋保持体３５に突起体４９を設けることで、発光体装着部９のスライド操作により、簡易な構成で液袋１０を確実に破ることができる。  
ケース５と発光体装着部９との間にストッパ部材１２を設けているので、誤操作や不作為により、発光体装着部９がスライドして液袋１０を破るのを防止できる。  
ケース５には、液体導入孔３１ａを設けているので、液袋１０を破ることで発光体７を点灯するほか、外部にある水等の液体に液体導入孔３１ａを浸漬することでも発光体７を点灯できる。特に、液袋１０の液体による発電が終了した場合でも、液体導入孔３１ａ水に浸漬することで、電力は多少劣るが空気電池体３の発電を維持し又は再起動することができる。  
ブザー２の音がいわゆる犬笛やモスキート音の周波数帯の音とすることにより、遠く離れた犬にも感知でき、災害救助犬等に発見されやすい。  
ストッパ部材１２は樹脂製板材としてケース５と発光体装着部９との間に挟持する構成であるから、簡易な構成で安価に製造できる。  
【００３０】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図６〜図８に、本発明の第２実施の形態にかかる電灯装置１を示す。  
この第２実施の形態では、液袋１０及び液袋保持体３５を設けていないこと、及びストッパ部材１２を設けていないことが第１実施の形態と異なっている。  
この第２実施の形態では、ケース５の底壁３１を水等の液体に浸漬することで、液体導入孔３１ａからケース５内の空気電池体３に液体を供給して発電し、発光体装着部９を点灯すると共にブザー２を作動する。  
そして、図７（ｂ）に示すように、発光体装着部９をケース５から離れるようにスライドすることで、端子４３、４３が絶縁位置に位置し、発光体装着部９の点灯が停止するが、ブザー２の作動は継続する。したがって、ブザー音のみが作動した状態になる。  
この第２実施の形態によれば、液袋１０及び液袋保持体３５の効果を除いて、上述した第１実施の形態と同様な作用効果を奏することができると共に、液袋１０及び液袋保持体３５が無い分、第１実施の形態よりも簡易な構成にできる。  
更に、第２実施の形態によれば、電灯装置１は、発光体装着部９をケース５から離れるようにスライドして、端子４３、４３を絶縁位置に位置することで、発光体装着部９を消灯してブザー音のみを発動させることができる。  
【００３１】
図９に本発明の第３実施の形態にかかる電灯装置１を示す。この第３実施の形態では、第２実施の形態において、ブザー２の配線２ａ、２ｂを発光体７の端子４３、４３に接続していることが第２実施の形態と異なっている。  
この第３実施の形態によれば、発光体装着部９がケース５から離れる位置にある場合には（図７（ｂ）参照）、端子４３、４３が上絶縁テープ２１に位置するので、空気電池体３から通電が切断され、発光体装着部９が消灯し及びブザー２の作動が停止する。  
その他の効果は第２実施の形態と同様の作用効果を奏することができる。  
【００３２】
図１０及び図１１に、本発明の第４実施の形態にかかる電灯装置１を示す。この第４実施の形態では、上述した第２実施の形態において、発光体装着部９はスライド自在な構成でなく、ケース５に固定されていることが第２実施の形態と異なっている。したがって、この第４実施の形態では、ケース５の底壁３１を液体に浸漬することで液体導入孔３１ａから液体が空気電池体３に導入されると、発光体装着部９が点灯し続けると共にブザー２が作動し続ける。  
ブザー２の作動が不要の場合には、ブザー２をケース５から引き剥がして配線２ａ、２ｂを空気電池体３から切断する。その他の効果は、第２実施の形態と同様の効果を奏することができる。  
【００３３】
本発明は、上述した実施の形態に限らず、本発明の要旨を逸脱しない範囲で種々変形可能である。  
例えば、請求項２に記載の発明では、第１実施の形態において、ケース５内に液袋保持体３５及び突起体４９を設けてないで、液袋１０のみを装着しておき、液袋１０に対応する位置のケース５や発光体装着部９に外気に挿通する孔を設けておき、この孔からボールペン等の先端が鋭利な部材を突き刺して、液袋１０を破るようにしても良い。  
ブザー２は、円盤状にすることに限らず、四角盤状であっても良く、その形状は限定されない。  
液体導入部３１ａは、ケース５の底壁３１に形成した孔に限らず、底壁３１を不織布や紙で構成して、液体に浸漬したときにケース内に液体を導入するようにしても良い。  
【符号の説明】
【００３４】
１    電灯装置
２    ブザー
３    空気電池体
５    ケース
７    発光体
９    発光体装着部
１０  液袋
１１  正極板（一方側電極面）
１７  負極板（他方側電極面）
２１  上絶縁テープ（絶縁部）
３１ａ  液体導入孔（液体導入部）
４３  端子
【図１】
2017120702.tif 000003
【図２】
2017120702.tif 000004
【図３】
2017120702.tif 000005
【図４】
2017120702.tif 000006
【図５】
2017120702.tif 000007
【図６】
2017120702.tif 000008
【図７】
2017120702.tif 000009
【図８】
2017120702.tif 000010
【図９】
2017120702.tif 000011
【図１０】
2017120702.tif 000012
【図１１】
2017120702.tif 000013